(57)【特許請求の範囲】
【請求項１】
スプレー基体と、該スプレー基体に廻動自在に取着されたノズル部材とを備えたトリガー式スプレーであって、
ノズル部材の外周壁の表面には、スプレー基体側端縁にノズルの開、閉を指示する表示が印刷によって付けられ、
表示印刷面が傷つくことを防ぐための防護部材として、ノズル部材の外周壁の端縁に、端縁に沿って延びる突条が配設されていることを特徴とするトリガー式スプレー。
【請求項２】
請求項１記載の保護部材が、ノズル部材の外周壁の端縁に沿って延びる突条に代え、端縁に沿って突設された複数の突起であることを特徴とする請求項１記載のトリガー式スプレー。
【請求項３】
請求項１記載の保護部材が、ノズル部材の外周壁の端縁に配設された突条に代え、スプレー基体の上壁の端縁に配設され、端縁に沿って延びる突条または複数の突起であることを特徴とする請求項１記載のトリガー式スプレー。
【請求項４】
請求項１記載の保護部材が、ノズル部材の外周壁の端縁に沿って延びる突条に代え、スプレー基体のノズル取着部材に突設され、ノズル部材の表示面より突出する突条または複数の突起であることを特徴とする請求項１記載のトリガー式スプレー。
【発明の詳細な説明】
【０００１】
【発明の属する技術分野】
本発明は、トリガー式スプレー、とくにトリガー式スプレーに装着したノズル部材の位置合わせ表示部に関する。
【０００２】
【従来の技術】
トリガー式スプレーに装着されたノズル部材の開閉位置を表示するために、スプレー基体のカバー体と、ノズル部材に位置合わせ用表示部を設けたものは、従来より周知である。
【０００３】
【発明が解決しようとする課題】
しかしながら、従来のトリガー式スプレーの表示部は、刻印された表示凹部にインクを入れたものであり、インク付け作業は単純な作業ではなかった。
そこで、表示を印刷することが提案されたが、生産工程でスプレーを搬送するときに、本体ケース、ノズル部材の上面が搬送ベルトに乗せられて搬送されるが、表示面がベルトによって擦られ、印刷面に擦り傷が発生するという問題があり、また、内容液を充填した製品容器の函詰め輸送時に、振動によって印刷面が段ボール箱等の壁面に衝突し、印刷面が傷つくという問題があった。
【０００４】
本発明は、上記問題を解決することを課題として、スプレーのケース本体上面またはノズル部材の外周壁に、ノズル部材の外周壁の表示印刷面を保護するようにしたトリガー式スプレーを提供することを目的とする。
【０００５】
【課題を解決するための手段】
本発明は、上記の課題を解決するため、トリガー式スプレーとして、スプレー基体と、該スプレー基体に廻動自在に取着されたノズル部材とを備えたトリガー式スプレーであって、ノズル部材の外周壁の表面には、スプレー基体側端縁にノズルの開、閉を指示する表示が印刷によって付けられ、表示印刷面が傷つくことを防ぐための防護部材として、ノズル部材の外周壁の端縁に、端縁に沿って延びる突条が配設されていることを特徴とする構成を採用する。
【０００６】
防護部材の実施態様として、保護部材が、ノズル部材外周壁の端縁に沿って突設された複数の突起であることを特徴とする構成、または、保護部材が、スプレー基体の上壁の端縁に配設され、端縁に沿って延びる突条または複数の突起であることを特徴とする構成、保護部材が、スプレー基体のノズル取着部材に突設され、ノズル部材の表示面より突出する突条または複数の突起であることを特徴とする構成を採用する。
【０００７】
【発明の実施の形態】
次に、本発明のスプレーについて、図面を参照して説明する。
図１において、Ａは容器、Ｂは容器Ａに取着されたトリガー式スプレーである。
トリガー式スプレーＢは、周知の構造を有しており、キャップＢ１とキャップＢ１に取着されたスプレー基体Ｂ２と、該スプレー基体Ｂ２の先端に取着されたノズル部材Ｂ３とからなっている。
【０００８】
スプレー基体Ｂ２のカバー体１内には、ピストン部材２とポンプ部（図示しない）、吐出管３とを内蔵しており、吐出管３には、ノズル部材Ｂ３の取着部材４が嵌着されている。
また、カバー体１内には、トリガー５が廻動自在に取着されており、ピストン部材２は、トリガー５によって作動されるようになっている。
カバー体１の外周は、上壁６と側壁７とを有している。
【０００９】
ノズル部材Ｂ３は、取着部材４に廻動自在に取着され、吐出管３に連通可能とした流路（図示しない）を有する噴霧ノズル８を具えており、断面三角形状の外周壁９を有している。
【００１０】
使用時には、外周壁９を把持し、ノズル部材Ｂ３を廻動させることによって、スプレー基体Ｂ２内の吐出管３と、ノズル部材Ｂ３内の流路を接続、または遮断する。
その廻動位置に応じて外周壁９のそれぞれの表面９ａ，９ｂ，９ｃには、図２に示すように、「開」の表示１０または「閉」の表示１１が印刷により付されている。
各外周壁９のスプレー基体Ｂ２側端縁には、表示に対応して、表示の巾にほぼ一致する長さの突条１２が突設されている。
【００１１】
次に、本発明の作用効果について説明する。
スプレー基体Ｂ２の組立工程において、とくにノズル部材Ｂ３を取着したスプレー基体Ｂ２は、図３に示すように、スプレー基体Ｂ２を倒立させた状態で、搬送ベルトｂによって搬送されるが、ノズル部材Ｂ３の外周壁９端縁に突条１２を設けたことによって、図３に示すように、外周壁９の表示１０，１１の印刷面と搬送ベルトｂとの間に隙間ｄができるので、表示１０，１１の印刷面が摩擦によって削られたり、傷がつくことはない。
【００１２】
また、組み立てられたスプレー基体Ｂ２は、最終工程では、内容液を充填された容器Ａに被蓋され、函詰めされる。
輸送中には、容器Ａが上下軸方向に揺動する場合があるが、その場合に、スプレー基体Ｂ２のカバー体１の上壁６、ノズル部材Ｂ３の外周壁９の上面が函天面の段ボールに衝突することがあっても、突条１２があることによって、表示１０，１１印刷面は段ボールと接触することはなく、印刷面に擦り傷がつくことはない。
【００１３】
【実施例】
上記実施形態では、印刷面の保護部材としてノズル部材Ｂ３の外周壁９端縁に突条１２を突設しているが、保護部材の形状、配設個所については、実施形態以外にも種々の変更が可能である。
以下、印刷面の保護部材に関する各種実施例について、図面を示して説明する。
【００１４】
［第１実施例］
本実施例は、図４（ａ）に示すように、突条にかえ、二つの突起２０を外周壁９の端縁に設けたものである。
二つの突起２０によって、上記実施形態と同様の作用効果がもたらされ、表示の印刷面が傷つくことはない。
【００１５】
［第２実施例］
本実施例は、図４（ｂ）に示すように、スプレー基体Ｂ２のカバー体上壁６のノズル部材Ｂ３側端縁に、表示の巾に対応する突条２１を突設したものである。
突条２１によって、実施形態の突条１２と同一の作用効果を得ることができる。
そして、カバー体１の端縁に設けた突条２１は、位置決め部材としての役割をも果たし、表示１０，１１と突条２１を一致させることによって正確な位置合わせができる。
【００１６】
［第３実施例］
本実施例は、突条をスプレー基体に取着されたノズル取付部材に設けたものである。
図４（ｃ）に示すように、上壁６の端縁には切欠部２２が設けられ、ノズル取着部材４の上端には、表示の巾に対応する突条２３が設けられ、切欠部２２より突出するようになっている。
突条２３によって、実施形態と同一の作用効果を得ることができ、また前記第２実施形態と同様に位置決め部材としての役割を果たし、表示１０，１１と突条２３を一致させることによって正確な位置合わせができる。
【００１７】
［第４実施例］
前記実施形態および各実施例では、表示をノズル部材の外周壁の表面に印刷していたが、以下の実施例は、ノズル部材の外周壁表面とスプレー基体のカバー体上壁に位置合わせのための段差を設け、ノズル部材の段差面に「開」または「閉」の表示を印刷するようにしたスプレーに関するものである。
【００１８】
第４実施例は、図５（ａ）に示すように、ノズル部材Ｂ３の各外周壁９には、端縁から延びる逆Ｕ字形の段差面３０が形成されており、各段差面３０の表面には、「開」の表示３１、または「閉」の表示３２が印刷され、段差面３０のスプレー基体側の端縁には、突条３３が突設されている。
カバー体１の上壁６のノズル部材Ｂ３側の端縁には、段差面３０と対称的に位置決め用の段差面３４が形成されている。
【００１９】
本実施例においても、突条３３によって、前記実施形態の突条１２と同様の作用効果を得ることができ、段差面３０の端縁を段差面３４の端縁に一致させることによって正確な位置合わせができる。
【００２０】
［第５実施例］
本実施例は、前記第４実施例と同じく、ノズル部材とスプレー基体に段差面を設けたもので、図５（ｂ）に示すように、ノズル部材Ｂ３の各段差面３０の表面には、「開」の表示３１、または「閉」の表示３２が印刷され、段差面３０の端縁には、表示３１の巾に相当する距離をおいて一対の突起３５が突設されている。
突起３５によって、前記第４実施例における突条３３と同様の作用効果が得られる。
【００２１】
［第６実施例］
本実施例は、前記第４実施例におけるスプレー基体の位置決め用の段差面に変え、突条を設けたものである。
図５（ｃ）に示すように、ノズル部材Ｂ３の各段差面３０の表面には、表示３１または表示３２が印刷されており、スプレー基体Ｂ２の上壁６のノズル部材Ｂ３側の端縁には、段差面３０の端縁と同一の長さとし、段差面３０より高くした突条３６が突設されている。
突条３６は、位置合わせ用の役割を果たすとともに、前記第４実施例における突条３３と同一の作用効果が得られる。
【００２２】
［第７実施例］
本実施例は、前第６実施例における突条をノズル取付部材に設けたもので、前記第３実施例と同様に、上壁６の端縁には切欠部が設けられ、ノズル取付部材に配設された突条は、切欠部から上方にノズル部材の段差面３０より高く突出するように配設されている。
本実施例は、前記第６実施例と同一の作用効果が得られる。
【００２３】
前記実施形態では、開閉の表示について、文字を印刷により表示しているが、文字については、「開」「閉」に限られないことはいうまでもない。
また、文字表示とともに、「開」の場合は、ノズル部材の端縁に沿う突条を付し、「閉」の場合は、複数の突起を付けるようにすること、また「開」「閉」に応じて、文字表示を囲む突起を設け、その数、配列を変えるようにしてもよい。
そのことによって、視覚とともに触感によっても開閉を識別することができる。
【００２４】
【発明の効果】
本発明は、上記のように構成されているから、次の効果を奏する。
ノズル部材の外周壁またはスプレー基体の上壁に、表示印刷面を保護する突条または突起等の保護部材を設けたので、印刷によって表示を付しても、摩擦等によって印刷面が傷がつくことがない。
【図面の簡単な説明】
【図１】本発明のスプレー容器の説明図である。
【図２】スプレー基体要部の斜視図である。
【図３】搬送時のスプレーの状態を示す図である。
【図４】表示保護部材の説明図で、（ａ）は第１実施例、（ｂ）は第２実施例、（ｃ）は第３実施例の斜視図である。
【図５】  表示保護部材の説明図で、（ａ）は第４実施例、（ｂ）は第５実施例、（ｃ）は第６実施例の斜視図である。
【符号の説明】
Ａ            容器
Ｂ            スプレー
Ｂ１          キャップ
Ｂ２          スプレー基体
Ｂ３          ノズル部材
ｂ            搬送ベルト
ｄ            隙間
１            カバー体
４            取着部材
５            トリガー
６            上壁
９            外周壁
１０，１１、３１，３２    表示
１２ 、２１、２３、３３、３６   突条
２０、３５    突起
２２          切欠部
３０、３４    段差面
【図１】
0003880782.tif 000002
【図２】
0003880782.tif 000003
【図３】
0003880782.tif 000004
【図４】
0003880782.tif 000005
【図５】
0003880782.tif 000006